(57)【要約】      （修正有）【課題】洪水障壁を提供する。【解決手段】地下室１４の側方に配置される浮上式のパネルの間に、地下室に設置され、水平な地面のレベルが見えることを遮らない壁６４が配置されている。パネルが回転して上に浮上し、壁と地下室とパネルとが占有する位置に侵入する水に対しての障壁を形成したときに、この壁は、側方に配置されるパネルのうち一つ又は二つによって、地下室の中から直立位置に、受動的に回転で上昇されるように構成されている。洪水の水が引いたときに、壁は受動的に下降し、水平な地面のレベルは隠されなくなる。地下室から洪水がもたらしたごみを除去する対策がなされ、洪水が再び生じた後に壁を繰り返し操作することを可能にする。【選択図】図３
2020193556.tif 000002
【特許請求の範囲】
【請求項１】
軸の周りに回転可能であり、下降位置から直立位置まで上昇可能である一つ以上の壁を備え、
一つ以上の前記壁のそれぞれは、一対の側方隣接する洪水障壁用のパネルの間に位置し、一対の側方隣接する洪水障壁用の前記パネルは、前記壁に垂直な軸の周りに回転可能であり、下降位置から直立位置まで上昇可能であり、
一つ以上の前記壁は、側方隣接する前記パネルのうち片方のパネルが上昇するとき、又は両方のパネルが上昇するときに、一方又は両方の側方隣接する前記パネルによって、前記パネルが上昇するのと同じ方向に上昇されるように構成され、側方隣接する前記パネルのうち最後のものが下降するとき以降に下降されるように構成され、
各パネルはシールを保持し、前記シールは、一つ以上の前記壁の隣接する接触面に対してシールを行い、前記パネルと一つ以上の前記壁との間でシールする、装置。
【請求項２】
前記下降位置での一つ以上の前記壁と前記パネルとは、水平な地面のレベルが見えることを遮らない請求項１記載の装置。
【請求項３】
前記パネルが浮上式であり、上昇する水とともに上昇する請求項１記載の装置。
【請求項４】
さらに、前記パネルを上昇させる動力付きのパネル上昇機構を備えている請求項１記載の装置。
【請求項５】
直立するように上昇された一つ以上の前記壁のそれぞれが接触面を有し、前記接触面は、前記壁に隣で隣接する直立した前記パネルと同じ高さを有する請求項４記載の装置。
【請求項６】
直立するように上昇された一つ以上の前記壁のそれぞれが接触面を有し、前記接触面は、前記壁に隣で隣接する直立した前記パネルと同じ幅を有する請求項４記載の装置。
【請求項７】
前記シールが移動するシールである請求項１記載の装置。
【請求項８】
移動する前記シールがワイパーシールを備えている請求項６記載の装置。
【請求項９】
一つ以上の前記壁が、垂直な側面と、頂端とを有する請求項１記載の装置。
【請求項１０】
前記頂端は、前記側面を越えて延びる延長部を有し、一つ以上の前記壁と側方で隣接するパネルは、少なくとも一つの前記パネルが回転して上昇したときに、前記壁を回転させて上昇させるように、前記延長部に係合可能である請求項９記載の装置。
【請求項１１】
一つ以上の前記壁の前記側面が、前記頂端から後端までの形状であって、前記パネルの側面部が通過する空間平面を少なくとも描く形状を有する請求項９記載の装置。
【請求項１２】
前記形状が四分円である請求項１１記載の装置。
【請求項１３】
さらに、一つ以上の前記壁のそれぞれに対して地下室を備え、各地下室は、前記下降位置での前記壁を受け入れる請求項１記載の装置。
【請求項１４】
前記地下室はさらに、少なくとも後端部分及び底端部分によって接続された、間隔をおき互いに平行になっている垂直な側壁を含み、前記壁が通過して上昇する前記側壁の上の開口を有し、前記底端部分の上にある前記地下室の前記側壁の間には下降した前記壁を受け入れる容積を有する請求項１３記載の装置。
【請求項１５】
前記開口は、ごみが前記地下室にはいることを防止するように、前記シールと側方で隣接している請求項１４記載の装置。
【請求項１６】
さらに、（ａ）前記地下室に隣接する入口と、前記入口からの洗浄水を入れるための、前記入口から前記地下室への導管と、（ｂ）前記入口とは別の場所に設けられ、排出出口で終端となる導管へ、前記洗浄水を空にする地下室出口とを備えている請求項１３記載の装置。
【請求項１７】
排出が、前記排出出口での真空アシストを用いて行われる請求項１６記載の装置。
【請求項１８】
ウォーターフロントの沿岸線に近接した陸地に配列される複数の洪水障壁組立体を備えている装置であって、
前記陸地の地表よりも下に設置されている地下室であり、前記沿岸線に対しての、仮想的に投影された場合の交差角度で揃って並び、間隔をおき互いに平行になっている垂直な側壁を、各地下室は備え、前記側壁は後端部分と底端部分とで接続され、前記側壁よりも上に開口を有する地下室と、
前記地下室の前記開口のいずれか片側で、前記陸地の地中又は地上に設置されている複数の支持用皿部と、
複数の回転式に上昇可能かつ下降可能なパネルであり、下降位置での前記支持用皿部の中にそれぞれ位置し、各パネルは、上面と、底面と、前端部と、後端部と、側面部とを備え、前記側面部は、前記地下室の前記側壁の仮想的な角度と実質的に同じ、前記沿岸線に対しての、仮想的に投影された場合の交差角度で、揃って並び、パネルは、前記パネルの前記後端部から前記パネルの前記前端部まで延びる全長を有し、各パネルは、前記パネルの前記後端部で、実質的に水平な第１回転軸の周りにヒンジ結合で回転可能であり、前記支持用皿部から直立した上昇位置に上に回転するパネルと、
接触面が露呈している垂直な側面と、前記側面を越えて延びる水平延長部を伴った頂端と、後端とを有し、回転式に上昇可能かつ下降可能な壁であり、壁は、下降位置にある前記地下室の中にあり、壁は、前記壁の前記後端と前記地下室の前記後端部分との上部に隣り合った、実質的に水平な第２回転軸を中心としてヒンジ結合で回転可能であり、前記第２回転軸は、前記第１回転軸と実質的に平行であり、直立した上昇位置へ前記開口を介して上に回転可能である壁とを備え、
前記壁と隣り合う前記パネルは、前記壁の前記頂端の前記水平延長部と係合し、少なくとも一つの前記パネルが少なくとも一つの前記支持用皿部から回転して上昇したときに、前記壁を回転させて上昇させ、
直立する上昇された前記壁の前記接触面は、隣り合う前記パネルで横切られる空間内の平面を少なくとも描く、前記頂端から前記後端までの形状を有し、前記パネルの上のシールは、前記壁の前記接触面とのシール用の接触を与え、
前記パネルと前記壁とが直立した前記上昇位置へ上昇したときに、複数の前記洪水障壁組立体は、組み合わせとなり、前記パネルの前面の側で前記陸地に浸水することを防止する連続的な水の障壁を提供し、前記沿岸線からの浸水した水は、前記パネルの前記底面の背後に収容される、装置。
【請求項１９】
前記下降位置での前記壁と前記パネルとは、水平な地面のレベルが見えることを遮らない請求項１８記載の装置。
【請求項２０】
少なくとも一つのテンション部材が、前記支持用皿部に接続され、前記支持用皿部で各パネルの前記底面に接続され、上昇した前記パネルの前記底面に収容された水の静水圧が与えられたときに、前記テンション部材は、前記パネルが直立位置を越えて回転することを防止する請求項１８記載の装置。
【発明の詳細な説明】
【技術分野】
【０００１】
本発明は、洪水を防止するための洪水障壁、及び隣接する水域から上昇する水が生じた際の陸地での改良に関する。
【背景技術】
【０００２】
ニューヨーク市は、水辺の縁に直接建設されたものである。ここは、四方を水に囲まれた沿岸都市である。５７８マイルの沿岸ウォーターフロントがあるため、そのウォーターフロント全てがニューヨーク市の最大の脅威となっている。これは、２０１２年１０月２９日と３０日の熱帯性暴風雨サンディが、ニューヨーク市とその郊外とロングアイランドとを襲い、この都市を驚愕させたときに特に顕著だった。暴風の大波は、高潮によってさらに強められ、平均干潮の約１４フィート上になった。マンハッタンと他のウォーターフロントの区を縁取る護岸堤と隔壁を大きく乗り越え、建物、地下鉄と車のトンネルに浸水し、電気機器に損傷を与え、少なくとも４８人の命を奪い、事実上都市を閉鎖してしまった。市には、未処理の下水、及び部分的に処理された下水を含む、１２億ガロンの水が氾濫した。高潮により７０万トンのごみ（瓦礫）が街を飲み込んだ。これは市の歴史の中で最悪の自然災害だった。ニューヨーク市全体の被害と経済的損失は少なくとも３３０億ドルと推定されている。
【０００３】
気候変動により、世紀を通じて海面が上昇し続け、嵐はさらに激しくなることであろう。ニューヨーク市はハリケーンの地域に位置し、他の大嵐の可能性も非常に高い。従って必然的に海水がやって来る。
【０００４】
サンディは、ニューヨーク市の１７％にあたる５１平方マイルに浸水した。世紀の変わり目までに海面水位が６フィートに上昇すると予測されているため、サンディがもたらした水位よりも６フィート高い水位の水であれば、１００平方マイル、即ち市の１／３を覆い、市の一部を居住不可能にすることであろう。これは、地域的な問題ではない。ニューヨーク市は、銀行、金融、テクノロジー、芸術、メディアの中心である。ここは、地球上のどこよりも多くのフォーチュン５００企業を抱えている。ニューヨーク市に起こることは世界的な影響を与える。
【０００５】
この浸水の脅威に直面しているのはニューヨーク市だけではない。フロリダ州マイアミ、イギリスのロンドン、日本の東京、中国の上海などの主要な沿岸大都市圏も海面上昇によりリスクが高く、少なくともマイアミはハリケーンにより、東京と上海は台風によりリスクが高い。
【０００６】
ニューヨーク市に提案された「Ｂｉｇ−Ｕ」などの護岸のための解決策は、高潮やその他の上昇する洪水を防ぐために、防波堤や隔壁に沿って、加工鉄鋼やコンクリートの高い壁や堤防を永久的に起立して設けることを求めているが、そのような起立した設置は、周囲の水景の望ましい地面のレベルが見えることを永久的に遮り、水域へのアクセスを妨げる可能性がある。そのような解決策は多くの市民によって反対されている。ニューヨーク市を取り巻く永久的な壁やその他の要塞スタイルの防御壁は、城壁のある都市を居住地というより刑務所のように感じるかもしれない。さらに、隔壁と護岸堤に沿って建設されたゼロラインの道路と建物に少なくとも部分的に起因して、護岸堤又は隔壁に沿った地上及び高架の道路と建物は、永続的な固定壁又は堤防に利用するには不十分にしか水平又は垂直スペースを残さない場合がある。ゼロライン構造がない場合でも、堤防を設置するスペースがない場合がある。堤防は通常、高さの２倍の幅がある必要がある。
【０００７】
ニューヨークや他の同様の位置にある沿岸都市が海からの生存能力を維持するための解決策を必要とすることは間違いないが、都市に壁を作らず、周囲の水域によって提供される魅力的な水の眺めを永久には妨げない解決策が望ましい。そのような解決策は過去に提案されてきた。本発明の発明者による米国特許第９，２７９，２２４号は、洪水障壁を形成するために沿岸線を横切る、側方で隣接する永久端壁の相互の間で上向きに回転する浮上パネルを含む、受動的な自己起立システムを記載している。浮上パネル片を並べて連結して、単一の長いパネルを効果的に形成することができるし、連結したパネル片で形成されていない単一の長い浮上パネルを使用することができる。連結したパネルの列が長すぎるか、端壁間の単一のパネルが長すぎると、パネルの長さに沿った水の作用からの、さまざまな水の高さ及び潮の満ち引きによって加えられるねじりトルクに、パネルは影響を受け、耐用年数と障壁の効果に悪影響を与える可能性がある。一連の連結したパネル片に隣接する端壁、又は連結したパネル片で形成されていない単一の長いパネルに側方で隣接する端壁は、間隔が空いているため、そのようなパネル片を組み合わせた長さ、又は単一の長いパネルの長さは、パネルにそのようなトルクの力を与えるのに十分ではない。沿岸線を横切るこれらの永久的に起立した端壁は、周囲の永久的な加工鉄鋼又はコンクリートの壁又は堤防ほどに地面レベルの水の眺めを妨げないが、米国特許第９，２７９，２２４号の横に永久的に起立した端壁では、視界を遮ることを完全に回避することはもたらさない。
【０００８】
洪水の水の侵入を阻止するには、他の試みもあった。米国特許第４，３７７，３５２号は、浮上する支柱の間の水に敷設された可撓的なシートを使用して、川岸に沿って設けられた受動的な水収容バリアを記載している。米国特許第６，３３８，５９４号及び第６，５１４，０１１号は、水が汲み上げられる地下室から、浮上する壁を上昇させ、壁を垂直に上方に浮上させることを記載している。米国特許第５，７２５，３２６号及び第７，７４４，３１０号は、上昇する雨水を使用して、地下室を満たし、堤防又は隔壁の上に垂直に上向きに壁を浮上させることを記載している。米国特許第７，０３３，１１２号は、作業員が広げて所定の位置にロックできる、堤防の収容スペースにある折りたたまれた金属壁を使用することを記載している。米国特許公開２００７／０１８９８５４は、厚板の側面のチャンネルに挿入されたボードによって満たされた厚板間のギャップを備えた、洪水防御のための釣り合いのとれた厚板を手動で起立させることを記載している。米国特許公開第２０１７／０１７５３５２号は、沿岸線に平行に延びるボードの遊歩道であり、最も海岸側の板が取り付けられたギヤ付きヒンジシャフトに作用するモーターによって起立可能な、洪水制御障壁としての二重使用を行うボードの遊歩道を記載している。これら全ての後者の解決策には、構造的及びその他のエンジニアリング上の制限があるため、都市の全域の広大な地域の浸水を防ぐための陸地の地表レベルの防御には適用できない。
【０００９】
さらに、本発明の発明者による米国特許第９，４５８，５８８号は、浮上パネルを能動的に持ち上げるためのシステムを記載している。
【発明の概要】
【００１０】
本明細書に記載の発明は、洪水の水が不可避的に沿岸に到来したときに、危険な都市の高潮による洪水からの防御を提供しながら、水景が見えることを妨害しないことを保証する直線的な洪水障壁の解決策を提供する。この解決策は、雪が溶けたり、川に流れ込む大雨によって川が堤防から溢れて、隣接する陸地に浸水したりする川沿いの都市や町村にも利用できる。
【００１１】
例示的な実施形態の以下の詳細な説明では、いくつかの実施形態では、本明細書の一部を形成して本発明を実施できる非限定的な実施形態を例示的に図示している、添付図面を参照する。図面及び説明において、同様又は対応する部分は、明細書及び図面全体を通して同じ参照符号、又はその数字の変形で表示されている。他の図面にある同じ要素について同じ参照符号の図面を観察しなくてよいように、全ての参照符号が全ての図面にあるわけではない。少なくとも一つの図面には、要素を示す参照符号が含まれる。本発明の特定の特徴は、やや概略的な形で図示され、いくつかの図面では、他の図面に示される要素のいくつかの詳細は、明確にするために省略されている。図面を参照して説明する。
【図面の簡単な説明】
【００１２】
【図１】本発明の装置の例示的な実施形態の背面斜視図であり、単一の効果的なパネルを形成する連結パネルが側方隣接する、上昇可能な壁が存在する地下室を示す。洪水から防御されるべき陸地は、観察者の左側にあり、洪水は観察者の右側から来るものとする。
【図２】図１の装置の例示的な実施形態の正面斜視図であり、これは洪水が来る元の側である。
【図３】図２と同じ図であり、洪水に抗して上昇する壁の片側にある、浮上する連結パネルによって地下室から回転式に上昇している壁の例を示す（水は図示しないが、上昇するパネルの背後にあると理解される）。
【図４】図３の一部の拡大図であり、壁の片側にある浮上する連結パネルによって地下室から回転式に上昇された壁の一層の詳細を示している。
【図５】回転式に上昇可能な壁の延長部と係合する側方隣接するパネルと、上昇可能な壁の接触面をシールするパネルの側面部に接続された移動するワイパーシールとの例示的な実施形態を概略的に示す。
【図６】上昇する壁全体と地下室の内部とを露呈するように地下室の左側面を取り除いた、図３の上昇する壁の左側からの斜視図である。
【図７】図１の斜視図からの図であり、図３及び６に示された連結パネル及び壁の上昇を示す。
【図８】図３の斜視図からの、壁の片側での、完全に上昇した連結パネル及び壁を示し、洪水の水は完全に上昇した連結パネルの後ろにある。
【図９】図７の斜視図からの、壁の片側での、完全に上昇した連結パネル及び壁を示し、防御された陸地は、上昇したパネルの前で観察者の左にある。
【図１０】図３及び８の斜視図の中で、第２の連結パネルの上昇と、既に上昇した壁に続くこととを示す。
【図１１】図１及び７の斜視図の中で、図８での第２の連結パネルの上昇を示す。
【図１２】図３の斜視図からの、完全に上昇した壁及び両方の完全に上昇した側方隣接する連結パネルを示す。
【図１３】図７の斜視図からの、完全に上昇した壁及び両方の完全に上昇した側方隣接する連結パネルを示す。
【図１４】図３と同じ斜視図であり、上昇する壁の片側の動力付き上昇機構によって上昇されている連結パネルを示している。
【図１５】図３と同じ斜視図であり、上昇する壁の他方の側の動力付き上昇機構によって上昇されている連結パネルを示している。
【発明を実施するための形態】
【００１３】
本発明によれば、隣に隣接する一連の洪水障壁組立体は、ウォーターフロントの沿岸線に近接した陸地に配列され、水への遮られない視界を与え、さらに洪水を生じ得る嵐に対して自己起立し、任意であるが機械的に起立可能であり、長い距離に延びて設けることができる連続的な上下方向の障壁を提供し、障壁のドライ側での陸地の浸水を防止する。従って、高潮やその他の上昇する洪水の水に対して水防を行うための、視界を遮る加工鉄鋼やコンクリートの高い壁や堤防の必要性がなくなる。
【００１４】
要約書に述べたことを含む、本明細書で説明されている特定の詳細は、いずれの場合でも、本発明の概念が実施できる具体的な方法を表す実施形態の非限定的な説明及び例示である。これは、これらの概念と一貫性のある実質的に任意の適切に詳細なシステム、構造又は方法で、本発明を使用することを当業者に教示する役割を果たす。本明細書を通しての「例示的な実施形態」への言及は、実施形態に関連して説明された特定の特徴、構造又は特性が、本発明の少なくとも一つの例示的な実施形態に含まれることを意味する。従って、本明細書全体にわたる様々な箇所での「例示的な実施形態」という語句、又は同様の表現の使用は、必ずしも全てが同じ実施形態を参照しているわけではない。さらに、特定の特徴、構造又は特性は、一つ又は複数の実施形態で任意の適切な方法で組み合わせてよい。特定の説明された実施形態及びそれらの実施形態の詳細に対する、様々な変更及び代替は、本発明の範囲内で行われてよい。しかも、特定の用途に従って有用であるように、図面に示された一つ又は複数の要素は、さらに分離又は統合された方法で実施されてよく、又は特定の場合に除去又は操作不能にされてよい。本明細書で説明される発明の概念の範囲内、及び本明細書に詳述される例示的な実施形態において、多くの様々な異なる実施形態が構成されてよいので、この詳細は例示として解釈されるべきであり、本明細書で例示・説明されたものに本発明を限定するものとして解釈されるべきではないことを理解されたい。
【００１５】
例示的な実施形態の詳細な説明で使用される、「上」、「下」、「後」、「前」、「法線方向」、「垂直」、「直立」、「水平」、「長さ」、「横に」、「近位」、「遠位」などのさまざまな方向は、図面と関連付けて一層簡単に説明するためにのみ、規定される。本明細書に詳述される例示的な実施形態で本発明の概念が具体化されることと、同じ機能を実行し、同じ結果を達成しながら、構成要素は異なる姿勢に向けられてよい。実施形態が例示する概念を限定するものとして、そのような用語は理解されるべきでない。「水平」又は「水平に」という用語には、限定的ではないが、文字通りの水平が含まれるのであり、一般に、隣接する一般的な水平な地面に対して、水平と述べた要素の機能に重大な悪影響を与える程度には、レベルから外れないことを意味する。同様に、「垂直」又は「直立」という用語には、限定的ではないが、文字通りの垂直が含まれるのであり、一般に、直接的に隣接する土地に対して、垂直又は直立と述べた要素の機能に重大な悪影響を与えない程度に、相当に上下することを意味する。
【００１６】
本明細書で使用される場合、「備える」、「備えている」、「含む」、「含んでいる」、「有する」、「有している」又はその任意の他の変種は、非排他的な包含をカバーすることが意図される。例えば、要素のリストを含む装置は、必ずしもそれらの要素だけに限定されないのであり、そのようなプロセス、物品又は装置に明示的にリストされていない、又は固有でない、他の要素を含んでよい。さらに、反対に明示して述べない限り、「又は」は、包括的な「又は」を指すのであって、排他的な「又は」を指すのではない。すなわち、特に他に明示しない限り、「又は」という用語は、一般に「及び／又は」を意味することを意図している。例えば、条件Ａ又はＢは、次のもののうち任意の一つ、即ちＡが存在しＢが存在しないこと、Ａが存在せずＢが存在すること、及びＡとＢの両方が存在することのうち任意の一つによって満たされる。
【００１７】
本明細書で使用される場合、請求項及び／又は明細書における用語「備える」（又は同義の「有する」又は「含む」）と併せて使用されるときの「ａ」又は「ａｎ」という用語の使用は、「一つの」を意味してよい。しかし、「一つ以上」、「少なくとも一つ」、「一つ以上」の意味とも一貫性がある。さらに、本明細書で使用される場合、「への接続」又は「に接続され」という語句は、直接に、又は中間の構成要素を介して、そのいずれかの形で結合されることを意味する。
【００１８】
米国特許第９，２７９，２２４号の永久に起立する壁とは異なり、本発明の例示的な実施形態は、水平な地面のレベルが見えることを遮らず、側方隣接した浮上するパネルの間に位置する下降位置に置かれた壁を含む。壁及びパネルがある場所に侵入する洪水に対する障壁を形成するようにパネルが上向きに回転浮上したときに、壁は、側方隣接するパネルの一方又は両方によって、下降位置から直立位置まで受動的に回転上昇されるように構成される。洪水が後退すると、壁は受動的に下降し、水平な地面のレベルが見えることが再び遮られなくなる。
【００１９】
より具体的には、一つ又は複数の壁が軸の周りに回転し、下降位置から直立位置まで上昇する。壁に垂直な軸の周りに回転可能であり、下降位置から直立位置まで上昇可能である一対の側方隣接する洪水障壁用のパネルの間に、一つ以上の壁のそれぞれがある。側方隣接するパネルは、単一の長いパネルを効果的に形成するために連結された複数のパネル片であってよく、あるいは、連結パネル片で形成されていない単一の長いパネルであってよい。一つ以上の壁は、側方隣接するパネルのうち片方のパネルが上昇するとき、又は両方のパネルが上昇するときに、一方又は両方の側方隣接するパネルによって、パネルが上昇するのと同じ方向に上昇されるように構成され、側方隣接するパネルのうち最後のものが下降するとき以降に下降されるように構成される。下降位置では、一つ以上の壁とパネルとは水平な地面のレベルが見えることを遮らない。
【００２０】
パネルが側方隣接する上昇可能な壁の記述子としての「一つ以上」は、パネルが側方隣接する上昇可能な壁の少なくとも単一のユニット、又はパネルが側方隣接する単一の上昇可能な壁を含む複数のユニットを意味する。そのような複数の場合に、上昇可能な壁に側方隣接するパネルは、別の上昇可能な壁に側方隣接してよい。つまり単一のパネル（単一の長いパネルを効果的に形成するために連結された複数のパネル片、又はこれに代えて、連結パネルで形成されていない単一の長いパネル）が、二つの互いに離された上昇可能な壁の間に散在してよく、両方の壁を上昇させてよい。
【００２１】
例示的な実施形態では、装置はさらに、一つ以上の壁のそれぞれに対して地下室を備えている。各地下室は、下降位置まで回転された上昇可能な壁を受け入れる。そのような地下室の例示的な実施形態では、地下室は、少なくとも後端部分及び底端部分によって接続された、間隔をおき互いに平行になっている垂直な側壁を含み、壁が通過して上昇する側壁の上の開口を有し、開口の下で底端部分の上にある地下室側壁の間には下降した壁を受け入れる容積を有する。
【００２２】
装置の例示的な実施形態では、側方隣接するパネルは浮上式であり、水位の上昇とともに上昇する。任意に、又は補足として、装置の例示的な実施形態では、各パネルに動作可能に対応付けられたパネル用のパネル上昇機構を含む。
【００２３】
装置の例示的な実施形態では、側方隣接する各パネルは、一つ以上の壁が上昇しているとき、及び上昇した後、一つ以上の壁のうち一つの隣接する接触面に対してシールを行うシールを保持する。このシールは、一つ以上の壁が下降される間に、一つ以上の壁のうち一つとパネルとの間をシールし続ける。装置の一つの実施形態では、シールは移動シールである。シールは、パネルと壁との間で差異のある移動を可能にするものであってよい。その一つの実施形態は、ワイパーシールを含む。装置の実施形態では、直立した一つ以上の壁のそれぞれは接触面を有し、接触面は、壁に隣で隣接する直立したパネルと同じ高さを、また任意であるが同じ幅を有する。
【００２４】
いずれの地下室にも伴う問題は、地下室内にごみが徐々に蓄積することである。しばしば、障壁の壁とパネルとの組立体は、障壁の片側で、汚い泥とごみを含んだ水とを遮る。水が後退したときに、組立体の足に地面の泥やその他のごみが残る可能性がある。泥やその他のごみは、壁が上昇される間に、又は壁が下降されたときに地下室にはいる可能性がある。ごみの付着は、地下室に対して出入りする壁の回転運動を妨げる可能性がある。従って、例示的な実施形態では、地下室の開口は、ごみが地下室にはいることを防止するように、シールと側方で隣接している。開口と側方で隣接するシールの有効性は、その下にあるごみの蓄積によって影響されないが、壁の下の地下室内のごみが多すぎると、壁が地下室内に十分に下降するのを妨げることがある。例示的な実施形態では、洪水が後退した後に地下室からごみを洗い流して地下室を洗浄する対策がなされ、煩わしさなしに壁が地下室内に下降することを可能にする。例示的な実施形態では、装置は、（ａ）地下室に隣接する入口と、入口からの洗浄水を入れるための、入口から地下室への導管と、（ｂ）入口とは別の場所に設けられ、排出出口で終端となる導管に流れ込み、洗浄水をごみ排出領域に向けて空にする地下室出口とを備えている。例示的な実施形態では、洗い流す排出は、排出出口での真空アシストを用いて行われる。
【００２５】
装置の実施形態では、一つ以上の回転式に上昇可能かつ下降可能な壁は、垂直な側面と、側面を越えて延びる延長部を伴った頂端とを有する。壁と側方で隣接するパネルは、少なくとも一つのパネルが回転して上昇したときに、壁を回転させて上昇させるように、延長部に係合可能である。例示的な実施形態では、壁の延長部は、壁が上述の地下室内にあるときに、地下室の開口よりも上にある。一つ以上の壁の垂直な側面は、地下室に収容される形状、例えば、正方形（ｓｑｕａｒｅ）、又は一つのコーナー（部分的な三角形）が除去された正方形の形状を有する。しかし、好ましくは、一つ以上の壁の側面は、頂端から後端までの形状であって、上昇する側方隣接のパネルの側端が移動して過ぎる（ｔｒａｖｅｒｓｅ）空間平面を少なくとも描く形状を有し、より具体的には、一つ以上の壁の側面は、パネルの側端が通過する平面を少なくとも描く形状を有する。その一つの実施形態では、この形状は、四分円又はそれよりも大きい任意の形状である。言い換えれば、壁の垂直な側面の形状は、それがパネルでの移動する側方のエッジが移動する弧を少なくともカバーする限り、任意の形状であってよい。
【００２６】
まず図１−１５を参照すると、例示的な装置は、ウォーターフロントの沿岸線に近接した陸地に設置する洪水障壁組立体１２を備えている。図１で、陸地のウォーターフロント側（「ウェット側」）は参照符号１１で示し、洪水から防御される陸地の側（「ドライ側」）は参照符号１３で示す。
【００２７】
各組立体１２は、陸地の地表１５よりも下に設置されている地下室１４を備えている。沿岸線に対しての、仮想的に投影された場合の交差角度（ｉｍａｇｉｎｅｄ  ｐｒｏｊｅｃｔｅｄ  ｉｎｔｅｒｓｅｃｔｉｎｇ  ａｎｇｌｅ）で揃って並び、間隔をおき互いに平行になっている垂直な側壁１６を、各地下室は備えている。側壁１６は後端部分１８と底端部分２０とで接続されている。地下室は、シール２３と側方隣接する側壁よりも上に開口２２を有し、地表のごみが地下室１４にはいることを防止する。複数の支持用皿部２４（ｓｕｐｐｏｒｔ  ｐａｎ）が、地下室１４の開口２２のいずれか片側で、地中又は地上に設置されている。
【００２８】
図面に示した実施形態で、締結用のコネクター２７で連結した複数のパネル片２５を参照すると、この連結した状態では、複数のパネル部材が、単一のユニットのパネル２６として有効に動作する。これに代えて、単一のパネル２６は、例えば１００フィート（約３０．５ｍ）などの非常に長いパネルであってよく、複数の連結されたパネル片２５で形成されるのでなくて、互いに間隔をおいた地下室１４の間で、地下室１４に収容された上昇可能な壁６４の間の、唯一のパネルであってよい。図面では、単一のパネル２６として一体に機能する連結されたパネルのみを示しているが、パネルという用語を使用することで、単一の非常に長いパネル２６もまた想定している。
【００２９】
回転により上昇可能かつ下降可能な複数のパネル２６は、下降位置にあって支持用皿部２４にそれぞれ配置された、連結されたパネル片２５を備えている。各パネル片２５は、上面２８と、底面３０と、前端部３２と、後端部３４と、側面部３６とを備え、側面部３６は、地下室１４の側壁１６の仮想的な角度と実質的に同じ、沿岸線に対しての、仮想的に投影された場合の交差角度で、揃って並ぶ。パネル片２５は、パネル片後端部３４からパネル片前端部３２まで延びる全長を有する。各パネル片２５、即ち有効な各パネル２６は、パネルの後端部３４で、実質的に水平な第１回転軸３８の周りにヒンジ結合で回転可能であり、支持用皿部２４から直立した上昇位置に上に回転する。連結されたパネル片２５がその支持用皿部２４の中で下降位置にあるときに、有効な各パネル２６の上面２８は、陸地の地表に対してほぼ水平に配置されてよく、任意であるが、パネル２６が支持用皿部２４の中にあるときに通行に耐える（ｏｖｅｒ−ｔｒａｆｆｉｃｋｉｎｇ）表面を提供してよい。
【００３０】
パネル片２５は、複数の繰り返し単位である組立体で形成されていてよく、この組立体は、例えば、断面で直進する管などの中空の管４０を備え、これらは管４０の全長にわたって、例えばステッチ溶接で溶接されたものである。パネル片２５、つまりパネル２６は、テンション部材８０によりパネル２６の底面３０での水の静水圧に抗して垂直に保たれる。テンション部材８０は、パネルアンカー板４４に旋回可能に取り付けられた、折り畳み可能なテンション部材保持アーム４２を備えている。保持アーム４２は、支持用皿部２４の底部で皿部アンカー板４６に係止されている。保持アーム４２は、上部分の下方の箇所にスロットが形成された単一の上部分と、上部分のスロットを貫通するピンによって上部分に接続された二つの下部分とを有する。複数の支持ビーム４８が、後端部３４から前端部３２まで各パネル片２５の底面３０に固着されている。支持ビーム４８は、パネル片２５即ちパネル２６を強固にし、支持用皿部２４の中でパネルが水平配置のときにパネル２６が縦方向に重みに耐えることを助ける。これにより、任意であるが、パネルは、例えば歩行者又は車両がパネル２６上で通行することなど、通行に耐える（ｏｖｅｒ−ｔｒａｆｆｉｃｋｉｎｇ）機能で働いてよい。支持用皿部２４は、出口５２に向かう皿部排水部を備えている。
【００３１】
図１−１５では、パネルが浮上式であり、支持用皿部２４が位置するウェット側１１の陸地の地表より高く水位が上がったときに、受動的に第１回転軸３８を中心として上向きに回転して浮上する。これに加えて又はこれに代えて、図１４，１５に示すように、全体を５４で示した、各パネルに作動可能に対応付けられたパネル上昇機構をパネル２６は備えていてよい。より具体的には、後部と前部とを有する上昇アーム５６が、パネルの第１回転軸３８に垂直に各パネルの下に配置され、第１回転軸３８に平行な実質的に水平な第３回転軸５８から支持用皿部２４の上に旋回可能に支持されている。動力が与えられる駆動部６０が、支持用皿部２４に固着されている。従動部材６２は、基部が駆動部６０に接続され、末端部が上昇アーム５６の後部に接続されている。駆動部６０を作動させると、上昇アーム５６の後部は前に引かれ、上昇アーム５６の前部は第３回転軸５８を中心に上に回転し、これによりパネル２６を上昇した直立位置へ第１回転軸３８の周りに上に回転して上昇させる。各パネル２６の駆動部６０のための制御部は、所定の形態でパネルの駆動部を作動させる。
【００３２】
図１４，１５の実施形態では、上昇アーム５６の前部は、パネル２６の底面３０に接続されていない。上昇アーム５６の前部の終端は、これに固着された低摩擦の擦り面を有し、上昇アーム５６の前部の終端がパネルの上昇の間にパネルと接触するパネル２６の底面３０は、底面３０に沿って固着された低摩擦の擦り面６３を有する。擦り面は、上昇アーム５６の前部の終端とパネルの底面３０との摩擦的な接触を減少させる。これにより、上昇の動作を容易にし、同時に、上昇アーム５６で前部の未接続の終端によってパネルの底面３０が傷つくことから保護する。
【００３３】
パネルを能動的に上昇させる上昇機構５４の動作を不能にする電源喪失が生じた場合であっても、パネルは受動的に上昇できる。パネルが全部でなく部分的に上昇したときに、電源喪失が生じた場合に、浮上式の構成は特に助けになるものである。部分的に上昇したパネルの背後に収容された水は、皿部を浮き上がらせ、この上昇を静水圧的に継続し、パネルを完全直立位置で閉ざす。上昇アーム５６の前部がパネル２６の底面３０に接続されていないので、このような閉鎖が可能になる。仮にパネル２６が上昇アーム５６の前部に接続されたら、この接続は、完全上昇位置までの移動量よりも少ない量で、パワーが与えられなくなったパネルを保持してしまい、浮上及び／又は静水圧による上昇の完全な実行を妨げるものとなる。
【００３４】
回転式に上昇可能かつ下降可能な壁６４は、接触面６８が露呈している垂直な側面６６と、側面６６を越えて延びる水平延長部７２，７２’を伴った頂端７０と、後端７４とを有する。壁６４は、下降位置にあって地下室１４の中にある。壁６４は、壁６４の後端７４と地下室１４の後端部分１８との上部に隣り合った、実質的に水平な第２回転軸７６を中心としてヒンジ結合で回転可能である。第２回転軸７６は、第１回転軸３８と実質的に平行である。（厳密に平行であること、及び／又は、本質的に又は厳密に一致することを含む。）壁６４は、直立した上昇位置へ開口２２を通過して第２回転軸７６を中心に上に回転可能である。地下室の開口２２は、シール２３と側方で隣接し、地下室にごみがはいることを防止する。
【００３５】
壁６４と隣り合うパネル２６は、壁６４の頂端７０の延長部７２及び／又は７２’と係合し、少なくとも一つのパネル２６が少なくとも一つの支持用皿部２４から回転して上昇したときに、壁６４を回転させて上昇させる。図５を参照すると、この図では、パネル２６を延長部７２又は７２’（例示では延長部７２）と係合させる一つの手段の例示的な実施形態を示しているが、取り付け部材６７は、移動するワイパーシール７８をパネル２６に取り付ける。移動するワイパーシール７８は、壁６４の接触面６８とのシール用の接触を与える。パネル２６が上昇したときに、取り付け部材６７はさらに延長部７２と係合し、壁を地下室１４内の箇所から上昇させる。他の実施形態では、取り付け部材は、パネル２６の側面部３６でさらに下方にあってよく、延長部７２，７２’はパネル２６の上面２８にわたって延びていてよい。延長部７２及び／又は７２’と係合するパネル２６の側面部３６又は上面２８の上の構造の構成は、他の種類（サイズ／搭載グループなど）のパネルと異なっていてよい。
【００３６】
図５に見られるように、ワイパーシール７８は前方ワイプ側７９と後方加圧側８１とを有する。パネル２６の底面３０の背後に遮断された水からの静水圧が、ワイパーシール７８の後方加圧側８１を壁６４の接触面６８（６９）に押し付け、これにより、パネル２６と壁６４との間から侵入するところだった浸水した洪水の水に対して積極的なシールを与える。
【００３７】
直立する上昇された壁６４の接触面６８は、隣り合うパネルで横切られる空間内の平面を少なくとも描く、頂端７０から後端７４までの形状を有する。図１−１５の実施形態では、この形状は四分円である。
【００３８】
パネル２６と壁６４とが直立した上昇位置へ上昇したときに、複数の洪水障壁組立体１２は、組み合わせとなり、パネル２６の上面２８が面した陸地のドライ側１３で浸水することを防止する連続的な水の障壁を提供する。浸水した水は、パネル２６の底面３０の背後で、陸地のウェット側１１に収容される。
【００３９】
壁が地下室に対して回転式で出入りするにつれて、地下室にはいるごみを洗い流すために、地下室１４に手段が与えられている。入口８２が、地下室１４の前側２１に隣り合って位置する。例示的な実施形態では、入口８２は蓋８４で覆われる。通路８６（導管に対応）が入口８２から地下室１４の前側２１へ延び、蓋８４が開けられて、入口８２に導かれる洗い流す水を排水する。地下室１４の後端部分１８の底部の出口８８が、上向きに延びる通路９０（導管に対応）に向けて開き、上向きに延びる通路９０は、地下室からの洗い流す水の排出のために地下室１４の後端部分１８の上に隣り合った頂部の出口９２（排出出口に対応）で終端となる。例示的な実施形態では、カバー９４が頂部の出口９２にかぶせられ、カバー９４が開けられたときに排水が生じる。例示的な実施形態では、上向きに延びる通路９０は断面で湾曲し、コーナーは隅々まで洗浄することが難しいものなので、隅々まで洗浄することを改善する。通路８６は地下室１４に向けて広がり、出口８８は上向きに延びる通路９０に向けて狭まり、洗い流すさらに大きな力を働かせる。洗い流す力をさらに上げるために、地下室は頂部の出口９２で真空状態（真空アシスト）で設置されてよい。
【００４０】
開示した発明の主題は例示的なものであり、制限的でないとして考慮されるものとする。添付する請求項は、本発明の真の範囲内に該当する全ての変形例、補強例、及び他の実施形態をカバーするものとして意図される。本発明は、発明の例示的な実施形態の上述した詳細な説明に関して無制限でも制限的でもなく、法的に許容される最も広い範囲で、後述の請求項及びそれらの等価物の許容される最も広い解釈で決定されるものとする。
【図１】
2020193556.tif 000003
【図２】
2020193556.tif 000004
【図３】
2020193556.tif 000005
【図４】
2020193556.tif 000006
【図５】
2020193556.tif 000007
【図６】
2020193556.tif 000008
【図７】
2020193556.tif 000009
【図８】
2020193556.tif 000010
【図９】
2020193556.tif 000011
【図１０】
2020193556.tif 000012
【図１１】
2020193556.tif 000013
【図１２】
2020193556.tif 000014
【図１３】
2020193556.tif 000015
【図１４】
2020193556.tif 000016
【図１５】
2020193556.tif 000017
【外国語明細書】
2020193556000001.pdf